(57)【特許請求の範囲】
【請求項１】
前身頃と後身頃を有し、腹部近傍に位置する前身頃の腹あて部又は腰部近傍に位置する後身頃の腰あて部のいずれか一方に帯を設けるとともに、いずれか他方に帯通し部を設けたパンツであって、
前記帯は、２つの端部が延在するように形成され、
前記帯通し部は、前記帯を通すための開口部を両端に有し、
前記帯の一端側が前記開口部の一方に対し挿入されて前記開口部の他方より抜け出るとともに、前記帯の他端側が前記開口部の他方に対し挿入されて前記開口部の一方より抜け出ることで、前記帯通し部内を前記帯の一端側と他端側がすれ違いながら通り抜けるように形成され、
前記帯には、前記帯通し部内を当該帯の一端側と他端側がすれ違いながら通り抜けるときに、当該帯の一端側及び他端側のいずれか一方がいずれか他方を乗り越えるように交差する乗り越え部分が形成され、
前記帯通し部の両端の開口部において、排出側の帯が挿入側の帯の外側になるように形成され、
前記帯通し部は、
柔らかく形成される広間部分と、
堅く形成される狭間部分と、
を備え、
前記広間部分は、前記乗り越え部分が形成される位置近傍に設けられるとともに、
前記狭間部分は、前記広間部分の両脇に設けられることを特徴とするパンツ。
【請求項２】
請求項１に記載のパンツにおいて、
前記帯通し部には、柔らかく形成される絞り部分が前記狭間部分の両脇にさらに設けられていることを特徴とするパンツ。
【請求項３】
請求項１又は２に記載のパンツにおいて、
前記帯が設けられた前記腹あて部又は前記腰あて部のいずれか一方は、堅く形成されていることを特徴とするパンツ。
【請求項４】
請求項１〜３のいずれか１項に記載のパンツにおいて、
前記帯は、１本の帯として形成され、かつ、前記腹あて部又は前記腰あて部のいずれか一方と一体的に形成されていることを特徴とするパンツ。
【請求項５】
請求項４に記載のパンツにおいて、
前記帯は、堅く形成されている帯あて部分を有し、
前記帯あて部分が、身頃との接続箇所に設けられていることを特徴とするパンツ。
【請求項６】
請求項５に記載のパンツにおいて、
前記帯には、柔らかく形成されている通過部分が、前記帯あて部分の両脇に設けられていることを特徴とするパンツ。
【請求項７】
請求項６に記載のパンツにおいて、
前記帯には、堅く形成されている帯結部分が、前記通過部分の両脇に設けられていることを特徴とするパンツ。
【請求項８】
請求項１〜７のいずれか１項に記載のパンツにおいて、
前記腹あて部と前記腰あて部が略同じ高さに位置することを特徴とするパンツ。
【請求項９】
請求項１〜８のいずれか１項に記載のパンツにおいて、
前身頃と後身頃が接続している部分に接続終点を設けることを特徴とするパンツ。
【請求項１０】
請求項９に記載のパンツにおいて、
前記接続終点は、前記腹あて部から１０ｃｍ以内の長さで形成されていることを特徴とするパンツ。
【発明の詳細な説明】
【技術分野】
【０００１】
本発明は、パンツに係り、特に、デザイン性と着心地に優れたパンツに関するものである。
【背景技術】
【０００２】
従来の袴は、帯紐が４本取り付けられており、２カ所で結ぶことによって衣服を固定していた。そして、帯紐の結び方には、十文字、一文字、結びきり及び蝶結び等の手法が複数存在しており、着脱容易なパンツとはいえなかった。
【０００３】
そこで、従来の袴を改良し、着脱容易な袴を提案することが行われてきた。例えば、下記特許文献１には、紐通しを後身頃に複数設けるとともにこの紐通しに結び紐を挿通させて腰板の左右へ結び紐を引き出し、そうして左右に引き出された結び紐を前身頃の前面に回して結び紐の両側を結ぶことにより、袴の着衣を完了する袴が提案されている。
【先行技術文献】
【特許文献】
【０００４】
【特許文献１】登録実用新案第３０４３３５７号公報
【発明の概要】
【発明が解決しようとする課題】
【０００５】
しかしながら、上掲した特許文献１に記載の袴は、腰板に対して高さの異なる紐通しを備えていることから、腹側から腰側へ向かう結び紐の高さと、腰側から腹側へ向かう結び紐の高さとが異なるという構成を有していた。かかる構成は、着用状態においては、結び紐の高さがずれて見えてしまうことから、見栄えのよいものではなかった。また、特許文献１に記載の袴は、帯を交差させる構成を有しているものの、単純に交差をさせているに過ぎず、そのために、左右へ引き出した結び紐のいずれか一方が、挿入側の結び紐の内側から引き出されることになり、これまた見栄えがよくないという問題が存在していた。
【０００６】
さらに、上掲した特許文献１に代表される従来の袴においては、腰板の内側に帯を通す構成が採用されていることから、着用者に対して帯の圧迫感を与えてしまうという問題も存在していた。そのため、従来の袴は、着心地を改良するための余地が残されていた。
【０００７】
またさらに、従来の袴には、結び目が着衣者の腰脇に位置するものがあったが、この種の袴では、着衣者の腕が結び目に当たるなどして動作の妨げとなることがあったり、前紐と後紐のそれぞれを、着衣や脱衣の度に結んだり解いたりしなければならない煩わしさも存在していた。また、着衣者の体型や動作によっては、前紐や後紐が前身頃の前面や腰板からずり上がってしまうことで、着崩れの原因となることがあった。
【０００８】
従来技術に係る袴には、上述したような種々の問題点が存在したことから、容易に着脱可能であるとともに、着心地がよく、さらにデザイン性にも優れた新たな袴風の着衣が求められていた。
【０００９】
本発明は、上述した従来技術に存在する様々な問題点に鑑みて成されたものであって、その目的は、着脱容易性、デザイン性、着心地性を向上させるとともに、さらに、多様な腰回りサイズに適応することができる従来にはない全く新しい袴風の着衣であるパンツを提供することにある。
【課題を解決するための手段】
【００１０】
本発明に係るパンツは、前身頃と後身頃を有し、腹部近傍に位置する前身頃の腹あて部又は腰部近傍に位置する後身頃の腰あて部のいずれか一方に帯を設けるとともに、いずれか他方に帯通し部を設けたパンツであって、前記帯は、２つの端部が延在するように形成され、前記帯通し部は、前記帯を通すための開口部を両端に有し、前記帯の一端側が前記開口部の一方に対し挿入されて前記開口部の他方より抜け出るとともに、前記帯の他端側が前記開口部の他方に対し挿入されて前記開口部の一方より抜け出ることで、前記帯通し部内を前記帯の一端側と他端側がすれ違いながら通り抜けるように形成され、前記帯には、前記帯通し部内を当該帯の一端側と他端側がすれ違いながら通り抜けるときに、当該帯の一端側及び他端側のいずれか一方がいずれか他方を乗り越えるように交差する乗り越え部分が形成され、前記帯通し部の両端の開口部において、排出側の帯が挿入側の帯の外側になるように形成され、前記帯通し部は、柔らかく形成される広間部分と、堅く形成される狭間部分と、を備え、前記広間部分は、前記乗り越え部分が形成される位置近傍に設けられるとともに、前記狭間部分は、前記広間部分の両脇に設けられることを特徴とするものである。
【００１１】
【００１２】
また、本発明に係るパンツにおいて、前記帯通し部には、柔らかく形成される絞り部分が前記狭間部分の両脇にさらに設けられていることとすることができる。
【００１３】
さらに、本発明に係るパンツにおいて、前記帯が設けられた前記腹あて部又は前記腰あて部のいずれか一方は、堅く形成されていることとすることができる。
【００１４】
またさらに、本発明に係るパンツにおいて、前記帯は、１本の帯として形成され、かつ、前記腹あて部又は前記腰あて部のいずれか一方と一体的に形成されていることとすることができる。
【００１５】
さらにまた、本発明に係るパンツにおいて、前記帯は、堅く形成されている帯あて部分を有し、前記帯あて部分が、身頃との接続箇所に設けられていることとすることができる。
【００１６】
また、本発明に係るパンツにおいて、前記帯には、柔らかく形成されている通過部分が、前記帯あて部分の両脇に設けられていることとすることができる。
【００１７】
さらに、本発明に係るパンツにおいて、前記帯には、堅く形成されている帯結部分が、前記通過部分の両脇に設けられていることとすることができる。
【００１８】
またさらに、本発明に係るパンツでは、前記腹あて部と前記腰あて部が略同じ高さに位置することとすることができる。
【００１９】
さらにまた、本発明に係るパンツでは、前身頃と後身頃が接続している部分に接続終点を設けることとすることができる。
【００２０】
また、本発明に係るパンツにおいて、前記接続終点は、前記腹あて部から１０ｃｍ以内の長さで形成されていることとすることができる。
【発明の効果】
【００２１】
本発明によれば、着脱容易性、デザイン性、着心地性を向上させるとともに、さらに、多様な腰回りサイズに適応することができる従来にはない全く新しい袴風の着衣であるパンツを提供することができる。
【００２２】
また、本発明に係るパンツは、構成部分の厚みに厚薄の変化をつけることによって、一方の帯がもう一方の帯を安定的に乗り越えることを可能にし、着用状態において帯がきれいに露出する構成となっていることから、高いデザイン性を有しながらも着心地のよい袴風の着衣となっている。
【００２３】
さらに、本発明に係るパンツは、伝統的でフォーマルな和服をカジュアルに着こなすことができる和装衣類とした点で効果大である。
【図面の簡単な説明】
【００２４】
【図１】本実施形態に係るパンツを示した外観図である。
【図２】本実施形態に係るパンツの帯を帯通しに通した状態を示す帯通しの拡大図である。
【図３】本実施形態に係るパンツの帯を示す図である。
【図４】本実施形態に係るパンツの帯通し部を示す図である。
【図５】本実施形態に係るパンツの帯通し部の断面図である。
【図６】本実施形態に係るパンツの帯の接続における変形例を示す図である。
【図７】本実施形態に係るパンツの前身頃と後身頃の接続を示す図である。
【図８】実施例に係るパンツの正面図である。
【図９】実施例に係るパンツの背面図である。
【図１０】実施例に係るパンツの右側面図である。
【図１１】実施例に係るパンツの左側面図である。
【図１２】実施例に係るパンツの平面図である。
【図１３】実施例に係るパンツの底面図である。
【図１４】実施例に係るパンツの要部拡大参考図である。
【発明を実施するための形態】
【００２５】
以下、本発明を実施するための好適な実施形態について、図面を用いて説明する。なお、以下の実施形態は、各請求項に係る発明を限定するものではなく、また、実施形態の中で説明されている特徴の組み合わせの全てが発明の解決手段に必須であるとは限らない。
【００２６】
図１は、本実施形態に係るパンツを示した外観図である。
【００２７】
本実施形態に係るパンツ１０は、着衣者の下半身前側を覆う前身頃１１と、下半身後側を覆う後身頃１２とを有して構成されている。前身頃１１の腹部近傍に位置する前身頃１１の腹あて部２０には帯２１Ｌと帯２１Ｒとが設けられているとともに、後身頃１２の腰部近傍に位置する後身頃の腰あて部３０には帯通し部３１が設けられている。
【００２８】
本実施形態に係る腹あて部２０は、前身頃の腹部近傍に位置する部分に位置する部位である。すなわち、着衣者が一般的な下半身用衣類を装着したときにおいてベルトが配置される位置の腹側部分の位置に相当する箇所に設けられている。
【００２９】
本実施形態に係る帯２１Ｌと２１Ｒは、腹あて部２０と一体的に形成されている１本の帯２１として形成される部材であり、１本の帯２１における符号２１Ｌで示される箇所が帯の一端側を示し、符号２１Ｒで示される箇所が帯の他端側を示している。帯２１（２１Ｌ，２１Ｒ）は、それぞれが後身頃に向かわせたときに胴回りに沿って延在するように形成されている。そして、帯２１は、少なくとも胴回りを１周できるとともに、へそ前にて帯２１の一端側２１Ｌと他端側２１Ｒとを結ぶことのできる長さで形成されており、パンツ１０を固定することに貢献する構成要素となっている。なお、腹あて部２０と帯２１を一体形成する手法については、一体的に形成されるのであればどのような手法を採用してもよく、例えば、縫い合わせることによって接続してもよいし、ファスナを用いて接続してもよい。
【００３０】
本実施形態に係る腰あて部３０は、後身頃の腰部近傍に位置する部位に配置されている。すなわち、着衣者が一般的な下半身用衣類を装着したときにおいてベルトが配置される位置の腰側部分の位置に相当する箇所に設けられている。
【００３１】
本実施形態に係る帯通し部３１は、腰あて部３０に設けられている。この帯通し部３１については、腰あて部３０と一体的に形成されるように設けられていることが好ましい。本実施形態では、帯通し部３１の両端には開口部３１Ｌ，３１Ｒが設けられており、帯２１の一端側２１Ｌと他端側２１Ｒは、開口部３１Ｌ，３１Ｒを挿入部及び排出部として帯通し部３１の内部を通り抜けるように形成されている。そのため、帯２１（２１Ｌ，２１Ｒ）を通過させることができるように、帯通し部３１は帯の縦幅よりもやや長い縦幅で形成されている。なお、この、帯通し部３１は、パンツ１０の腰側がずり下がらないようにすることに貢献する構成を備えている。
【００３２】
さらに、本実施形態では、図２に示すように、帯２１の一端側２１Ｌが一方の開口部３１Ｌに挿入されて他方の開口部３１Ｒより排出されるとともに、帯２１の他端側２１Ｒが他方の開口部３１Ｒに挿入されて一方の開口部３１Ｌより排出されるようになっている。つまり、帯２１の一端側２１Ｌと他端側２１Ｒが、帯通し部３１の内部においてすれ違いながら通り抜けていく構成となっている。さらに、本実施形態においては、帯２１の一端側２１Ｌと他端側２１Ｒがすれ違うときに、帯２１Ｌ，２１Ｒのいずれか一方がいずれか他方をスムーズに乗り越えられるように乗り越え部分２５が形成されている。この乗り越え部分２５については、帯２１の他の部分よりも柔らかく形成されているので、帯２１の一端側２１Ｌと他端側２１Ｒを外側に引っ張ってパンツ１０の胴周りを絞ったり、逆に腹あて部２０と腰あて部３０を内側から押し広げることでパンツ１０の胴周りを広げたりしたときにも、乗り越え部分２５の作用によって、帯２１の一端側２１Ｌと他端側２１Ｒとがスムーズに乗り越えながらすれ違うことができるようになっている。
【００３３】
このような乗り越え部分２５が形成されることによって、本実施形態では、いずれの開口部３１Ｌ，３１Ｒにおいても、挿入側の帯の外側から排出側の帯が排出されるように構成されている。すなわち、一方の開口部３１Ｌにおいては、挿入側の帯２１の一端側２１Ｌの外側から排出側の帯２１の他端側２１Ｒが排出されるとともに、他方の開口部３１Ｒにおいても、挿入側の帯２１の他端側２１Ｒの外側から排出側の帯２１の一端側２１Ｌが排出されるように形成されている。また、乗り越え部分２５は、帯通し部３１の内部に位置するために外部からは視認できないように構成されることとなるので、見た目を害することなく帯２１（２１Ｌ，２１Ｒ）同士が乗り越える動作を成し遂げることが可能となっている。
【００３４】
本実施形態に係るパンツ１０は、以上のような構成を有しているので、デザイン性が高く着脱が容易であるという効果を奏する全く新しい袴風の着衣を提供することが可能となっている。
【００３５】
以上、本実施形態に係るパンツ１０の構成についての説明を行った。なお、図１〜図２を用いて説明した本実施形態に係るパンツ１０の構成は、本発明の基本的な要点のみを解説したに過ぎない。すなわち、本発明に係るパンツの技術的範囲は、上記実施形態に記載の範囲に限定されるものではなく、上述した本実施形態には、特許請求の範囲の記載の範囲内において、多様な変更又は改良を加えることが可能である。そこで次に、本発明に係るパンツに適用可能な種々の形態例について、図３〜図７を参照して説明を行う。
【００３６】
例えば、図３に示すように、本実施形態に係る帯２１に対しては、帯あて部分２２設けることが好ましい。この帯あて部分２２は、帯２１と一体的に形成されている腹あて部２０の部位として構成されることができ、堅く形成されていることが好ましい。なお、腹あて部２０と同じ部分を帯あて部分２２とするのではなく、着衣者がパンツ１０を着用したときに、帯２１が帯通し部３１に挿入されず露出している部分も含めて帯あて部分２２とするとなお好ましい。帯あて部分２２を堅く形成すると、パンツ１０を胴回りに適合させるために帯２１を締めるときにしっかりとした固定感を得ることができるので、着心地が増すという効果を得ることができる。なお、後述するが、他の変形例として、帯２１と腹あて部２０が一体的に形成されておらず、腹あて部２０の左右の両端部それぞれに１本ずつ、合計２本の帯２１Ｌ，２１Ｒを接続されている形態を採用することもできる。この形態の場合には、腹あて部２０を堅い部分として形成することによって、上述した実施例の場合と同様の効果を期待できる。
【００３７】
また、図３に示すように、帯あて部分２２の両脇に通過部分２３Ｌ，２３Ｒを設けることが好ましい。通過部分２３Ｌ，２３Ｒは乗り越え部分２５を含む一定範囲を柔らかい部分とするように形成された部分である。柔らかい部分とすることによって、帯の動きが柔軟になるので、かかる作用によって、帯２１（２１Ｌ，２１Ｒ）の乗り越えを容易化するという効果を得ることができる。さらに、柔らかい部分に一度乗り越える動きを覚えさせると、帯２１（２１Ｌ，２１Ｒ）の通過部分２３Ｌ，２３Ｒに癖がつくので、乗り越える動きが定着するという効果を得ることができる。
【００３８】
またさらに、図３に示すように、通過部分２３Ｌ，２３Ｒの両脇を帯結部分２４Ｌ，２４Ｒとすることが好ましい。帯結部分２４Ｌ，２４Ｒは、開口部３１Ｌ，３１Ｒから排出された部分であって帯２１（２１Ｌ，２１Ｒ）を結ぶ際に用いられる部位であり、堅く形成されている部分である。帯２１（２１Ｌ，２１Ｒ）を結ぶときに、帯２１（２１Ｌ，２１Ｒ）自体が堅めに形成されていると、しっかりとした結び状態や結び心地を得ることができるとともに、帯２１（２１Ｌ，２１Ｒ）の結び易さや解き易さが向上するという効果を得ることができる。
【００３９】
さらにまた、帯２１は腹あて部２０に相当する位置から端部に向かうにつれて幅が狭くなっているように形成されていることとしてもよい。腹あて部２０の近傍位置付近では、幅が広ければ着用時に固定感が増す。一方、帯２１の端部においては、帯２１を結ぶ際に容易に結ぶことができるようになるという効果が得られる。
【００４０】
さらに、帯あて部分２２と通過部分２３Ｌ，２３Ｒと帯結部分２４Ｌ，２４Ｒとが帯２１の全長で占める長さの比率としては、帯あて部分２２：通過部分２３Ｌ：通過部分２３Ｒ：帯結部分２４Ｌ：帯結部分２４Ｒの長さの比率が２：１：１：２：２になるように形成されるとともに、図３に示すように、その配置が左右で略対称に配置されているとよい。このように形成することによって、乗り越え部分２５を容易に形成することができるようになるとともに、帯２１の全体バランスを確保しつつ、着脱容易性及び着心地性を向上させることができるとともにデザイン性の高いパンツ１０を提供できるという効果を得ることができる。
【００４１】
また例えば、本実施形態に係る帯通し部３１については、図４に示すように、乗り越え部分２５を覆う部分を広間部分３２とすることが好ましい。すなわち、図４にて例示するように、帯通し部３１については、帯通し部３１の略中心に割り当てられた部分が広間部分３２となることが好ましい。この広間部分３２については、柔らかく形成されている部分であって、内部の空間が広がり易く形成されている。帯２１の乗り越え部分２５を覆う部分が柔らかく形成されることによって、帯２１が乗り越える動きをするときにおいて、帯２１の動ける範囲を広範囲に確保できるので、乗り越え部分２５の形成を容易化することができるという効果を得ることができる。
【００４２】
さらに、図４に示すように、上述した広間部分３２の両脇には、狭間部分３３Ｌ，３３Ｒが設けられることが好ましい。さらに言えば、帯通し部３１の半分以上を占めるように狭間部分３３Ｌ，３３Ｒが設けられるとなお好ましい。狭間部分３３は堅く形成されている部分であって、内部の空間はあまり広がらないように形成されている。そのため、広間部分３２を通過する帯２１は、挿通方向以外にはあまり自由に動けないこととなるので、狭間部分３３Ｌ，３３Ｒを広間部分３２の両脇に形成することによって、帯２１の乗り越え部分２５が広間部分３２の位置から左右へ移動することを極力抑えることができる。すなわち、帯２１同士が乗り越えるという動作を安定的に行うことができるという効果を奏することができる。
【００４３】
また、狭間部分３３Ｌ，３３Ｒは堅い部分となることから、腰あてとしての機能も担うこととなる。つまり、圧迫感を分散し、包み込むように固定することを可能とする。さらにいえば、上述した帯あて部分２２が堅い部分によって構成されていることと相まって、腹側と腰側がともにがっしりとした部分を形成することとなることにより、より一層の固定感と着心地が得られるという相乗効果を生み出すこととなる。
【００４４】
またさらに、図４に示すように、狭間部分３３Ｌ，３３Ｒの両脇に絞り部分３４Ｌ，３４Ｒが設けられることが好ましい。図４で例示する絞り部分３４Ｌ，３４Ｒは、柔らかく形成された部分であって、帯２１を締めるときに縮む部分である。そのため、帯通し部３１の全長が帯２１の締め具合に合わせて、縮んだり縮まなかったりするので、多様なサイズに対応できるようになるという効果を得ることができる。
【００４５】
さらに、これら広間部分３２と狭間部分３３Ｌ，３３Ｒと絞り部分３４Ｌ，３４Ｒが帯通し部３１の全長に対して占める長さの比率としては、広間部分３２：狭間部分３３Ｌ：狭間部分３３Ｒ：絞り部分３４Ｌ：絞り部分３４Ｒの長さの比率が１：２：２：３：３となるように形成されるとともに、図４に示すように、その配置が左右で略対称に形成されていることが好ましい。このように形成することによって、帯２１の乗り越え部分２５を容易に形成することができるようになるとともに、帯通し部３１のバランスを確保しつつ、着脱容易性及び着心地性を向上させることができ、さらにデザイン性の非常に高いパンツ１０を提供できるという効果を得ることができる。
【００４６】
また例えば、腹あて部２０と腰あて部３０とは、着衣者が装着したときに略同じ高さに位置するように形成されていることも好ましい。かかる形状に形成されていれば、見た目としても整う上に、帯２１が帯通し部３１に挿入されて抜け出るときに、余計な角度が生じることがないので、帯２１によって締め上げられることによるパンツ１０への負担も最小限に抑えられるという効果を奏することができる。
【００４７】
また例えば、図５に示すように、上述した狭間部分３３Ｌ，３３Ｒについては、補強材４０を生地の内側に縫い込むことによって堅い部分とし、堅さに強弱をつけることも可能である。なお、上述した帯あて部分２２、帯結部分２４Ｌ，２４Ｒも堅い部分として形成されているので、図５で例示する狭間部分３３Ｌ，３３Ｒと同様に、補強材４０を縫い込むことによって堅い部分として形成されていてもよい。
【００４８】
さらに、補強材４０は洗濯可能な素材であるとともに、堅すぎない素材であることが好ましい。例えば、笹を原料に用いた和紙などを用いると、洗濯可能であるとともに堅すぎない素材であって好ましい。
【００４９】
また、図６に示すように、腹あて部２０の両端部に対してそれぞれ１本ずつの帯２１Ｌ，２１Ｒが接続されているように形成されていてもよい。この場合においては、上記の実施例とは異なり、帯２１Ｌ，２１Ｒは帯２１の一部ではなく、それぞれ１本ずつの帯となる。本発明においては、少なくとも帯２１は、胴回りを周回し、下腹部からへその間にて帯２１を結ぶことができるように形成されていればよい。
【００５０】
また例えば、上述した本実施形態では、左右にある身頃１１，１２の接続途中に接続終点５０を設ける構成が採用されていた（図１等参照）。しかしながら、この接続終点５０については、あらゆる場所に設けることが可能である。例えば、上述した本実施形態では、左右の接続途中の略同じ位置に接続終点５０を設けていたが、左右で位置をずらしてもよい。また、本発明の接続終点については、図７にて符号５０ａ，５０ｂ，５０ｃ，５０ｄとして示されるように、接続終点を複数箇所設けた構成を採用してもよい。ただし、本発明に係るパンツにあっては、図１にて示されるように、前身頃１１の腹あて部２０から１０ｃｍ以内の長さ範囲において接続終点５０を少なくとも１つ設けていることが好ましい。身頃１１，１２の接続途中に接続終点５０を設けることによって、前身頃１１と後身頃１２に可動域が生じるため、可動域が生じた分、着用可能なサイズの幅が広がることとなる。また、着用者がサイズを合わせるために帯２１を締めるときに、帯通し部３１の両端部が自由に動くことができるようになり、特に、上述した絞り部分３４との相性が非常に良い。したがって、デザイン性が高く、快適な着心地でありながら着脱容易であるとともに、多様な腰回りサイズに適応できるという効果を得ることができる。
【００５１】
以上から、本発明に係るパンツは、特定部分において生地に強弱をつけることによって、一方の帯がもう一方の帯を安定的に乗り越えることを可能にし、着用状態において通り抜けた帯がきれいに露出する構成になっている。したがって、本発明に係るパンツによれば、デザイン性が高い袴であるとともに、快適な着心地を有しながらも、着脱容易であり、多様な腰回りサイズに適応できるという効果を奏する全く新しい袴風の着衣を提供することができる。
【００５２】
なお、上述したパンツを具体化した実施例として、図８〜図１４で示されるパンツを示しておく。ここで、図８は、実施例に係るパンツの正面図であり、図９は、実施例に係るパンツの背面図であり、図１０は、実施例に係るパンツの右側面図であり、図１１は、実施例に係るパンツの左側面図であり、図１２は、実施例に係るパンツの平面図であり、図１３は、実施例に係るパンツの底面図であり、図１４は、実施例に係るパンツの要部拡大参考図である。図８〜図１４で示されるパンツからも明らかな通り、本実施例に係るパンツは、美的外観に優れた袴風の着衣である。
【００５３】
また、以上で例示した変形形態については、全ての構成を備えている必要はなく、各々の変形形態を単独で、あるいは組み合わせて構成した形態も、本発明に含まれることは当然である。
【符号の説明】
【００５４】
１０  パンツ、１１  前身頃、１２  後身頃、２０  腹あて部、２１  帯、２１Ｌ  （帯２１の）一端側（左端側）、２１Ｒ  （帯２１の）他端側（右端側）、２２  帯あて部分、２３Ｌ，２３Ｒ  通過部分、２４Ｌ，２４Ｒ  帯結部分、２５  乗り越え部分、３０  腰あて部、３１  帯通し部、３１Ｌ  （帯通し部３１の）一方の（左）開口部、３１Ｒ  （帯通し部３１の）他方の（右）開口部、３２  広間部分、３２  広間部分、３３Ｌ  狭間部分（左）、３３Ｒ  狭間部分（右）、３４Ｌ  絞り部分（左）、３４Ｒ  絞り部分（右）、４０  補強材、５０，５０ａ，５０ｂ，５０ｃ，５０ｄ  接続終点。
【図１】
0005236795.tif 000002
【図２】
0005236795.tif 000003
【図３】
0005236795.tif 000004
【図４】
0005236795.tif 000005
【図５】
0005236795.tif 000006
【図６】
0005236795.tif 000007
【図７】
0005236795.tif 000008
【図８】
0005236795.tif 000009
【図９】
0005236795.tif 000010
【図１０】
0005236795.tif 000011
【図１１】
0005236795.tif 000012
【図１２】
0005236795.tif 000013
【図１３】
0005236795.tif 000014
【図１４】
0005236795.tif 000015